(57)【特許請求の範囲】
【請求項１】
氷雪面での滑りを防止するための装置において、スキー板若しくはスノーシューズの長手側面に、ガイドを受けるための深溝及びスライド金具が貫通する間隙を設けた外枠と、更にその外側に設けられた板状ばねと、スライド板固定ピンと、前記外枠とスライド板固定ピンとの間に位置しスライド板固定ピンの突起部を受ける凹部及び押し上げるための弾性体を有するスライド板と、を備えたことを特徴とするスライド金具。
【請求項２】
氷雪面での滑りを防止するための装置において、スキー板若しくはスノーシューズの長手側面に、ガイドを受けるための深溝及びスライド金具が貫通する間隙を設けた外枠と、更にその外側に設けられた固定金具と、更にその外側に設けられた固定ピン軸支金具と、固定ピン軸支金具と固定金具を介して、弾性体によってスライド金具を固定するスライド板固定ピンと、外枠と固定金具の間に位置しスライド板固定ピンの突起部を受ける凹部及び押し上げるための弾性体を有するスライド板と、を備えたことを特徴とするスライド金具。
【請求項３】
スキー板の如き雪上歩行具に設置される氷雪面での滑りを防止するための装置において、該雪上歩行具に一又は複数の貫通孔を有し、該貫通孔の歩行具前方側若しくは後方側の縁にガイドを受けるための深溝及びスライド金具が貫通する間隙を設けた外枠と、当該外枠に外枠のガイドを受けるための深溝に嵌合するガイド用突起と当該ガイド用突起の周面に巻き付けたばねと下降時に固定手段を有し進行方向に直交する面を有するスライド板と、を備えたことを特徴とするスライド金具。
【請求項４】
スライド板の中心軸線上にスライド板に直交する板を設けたことを特徴とする請求項３記載のスライド金具。
【請求項５】
雪上歩行具の接地面に設けられた一又は複数の貫通孔を補強金具で覆ったことを特徴とする請求項３又は４に記載のスライド金具。
【請求項６】
氷雪面での滑りを防止するための装置において、氷雪面に接するスライド板の先端形状を鋸歯状若しくは鋭角状としたことを特徴とする請求項１乃至５のいずれかに記載のスライド金具。
【発明の詳細な説明】
【０００１】
【発明の属する技術分野】
本発明は、氷雪面の横滑りを防止するための装置に係り、スキー板若しくはスノーシューズに取り付けることにより氷雪面を歩行する際の滑りを防止するスライド金具に関するものである。
【０００２】
【従来の技術】
従来、氷雪面歩行具又は登坂時のスキーの滑り防止の方法若しくは装置としては以下のものが知られていた。
古くは雪面歩行具としてのカンジキが知られている。
【０００３】
また氷雪面歩行具としてはアイゼンが利用されている。特に近年ではジェラルミンパイプを素材とする着脱自在のアイゼン等を使ったスノーシューズが一般的に使用されている。
これらは雪の中に足が埋没するのを防止すると共に滑り止めの効果も有している。近年においては手入れが簡便であるという理由で金属製のアイゼンが主に用いられている。
【０００４】
しかし、カンジキやアイゼン等を使ったスノーシューズでは、雪山歩行においては、人の重さに背荷物の重さが加わり深雪では足が深く潜るためかなりの疲労を招くという欠点があった。又、下り坂も歩行しなければならないという煩雑さを有していた。
【０００５】
他方、雪面歩行具としては、クロスカントリー用スキー板等も使用される。
【０００６】
スキー板の滑り止めとしては、（１）ワックスの塗布方法に工夫を凝らす、（２）アザラシ皮等をスキー板の滑走面に貼付する、（３）スキー板の滑走面に鱗状の凹凸形状を形成する、例えば特公昭５０−３０５６号公報には滑走面に特殊な形状を施すことにより滑り止めを防止した登坂用スキーが開示されている、（４）スキー板にアイゼン状の滑り止めを装着する方法等が挙げられる。例えば、特公昭５２−３８４６０号公報には、スキー板の後端部にストッパーを設け逆滑りを防止する装置が、更に特開平７−１０８０７８号公報にはスキー板の外側部に逆行防止具を取付けたスキー板が開示されている。
【０００７】
しかし、前記（１）については、使用する度にワックスを塗布する必要があり、又、雪質に左右され易く、かつある程度の技能を要し、ベトツキ感もあるという欠点も有している。前記（２）については摩擦抵抗が極めて大きいので登行には大きな威力を発揮するが滑降時にはそれがマイナス効果となるため着脱等の煩雑な作業が必要となる。
【０００８】
前記（３）の特公昭５０−３０５６号公報に示された登坂用スキーについては、穏やかな登り斜面では制動性効果が得られるものの、滑走時におけるスキー板の滑走機能を確保するため凹凸形状は限定されており、急斜面や踏みならされた斜面若しくはアイスバーン上では十分な滑り止めの防止効果は期待できない。また、深雪やザラメ雪のような粘性の少ない雪面では、滑走面に設けられた凹凸形状にかかる雪圧抵抗は少なく十分な滑り止め効果が期待できない。
【０００９】
前記（４）の特公昭５２−３８４６０号公報の装置では、スキー板の後端部にストッパーが設けられており、ストッパーによる制動作用が働く部位、即ち金具が雪面に刺さる部位がスキー板にかかる重心点（靴が固定されている部分）より後方に位置するため登坂時において重心点と制動作用部位が異なることから重心が安定せずスキーのバランスを保つ事が難しいという欠点がある。
またこれらは主に登坂を目的としたもので、横滑りに対して効果的なものではないという欠点もある。
【００１０】
【発明が解決しようとする課題】
本発明は、上記欠点に鑑みてなされたもので、氷雪面の滑りを防止するための装置をスキーに取り付けることで新雪や深雪時でも深く潜らず、スライド板を上昇させることによりスキーと同様の滑降ができることにある。
【００１１】
またスライド金具をスキーやスノーシューズに取り付けることで急な登り坂でも横に滑ることなく、進行方向に正対したまま直進でき、登行姿勢に無理がないので疲れが少なく快適な上に、今までよりも安定して早く登り降りができるので、より安全かつ楽しく新雪・深雪面を歩行できることにある。
【００１２】
また他の目的は、スライド板とスライド押え金具等を設けることによって、新雪・深雪面を歩行する際に下降固定していたスライド板をストック等で簡単に上昇させることができるようにすることにある。
【００１３】
【課題を解決するための手段】
本発明は、
（１）スキー板若しくはスノーシューズの長手側面に、ガイドを受けるための深溝及びスライド金具が貫通する間隙を設けた外枠と、当該外枠に外枠のガイドを受けるための深溝に嵌合するガイド用突起と、下降時に固定手段を有するスライド板と、スライド板を押し上げるための弾性体とを備えたスライド金具である。
【００１４】
スライド板の全体もしくは一部と弾性体には、撥水性を持たせることが好ましい。撥水性を持たせることにより雪を金具に付着させず凍結を防止することが可能だからである。撥水性を持たせるためにはスライド板等にフッ素樹脂、ナイロン樹脂、エポキシ樹脂等をコーティングする。
スライド板を押し下げることによって、弾性体の反撥力に抗してスライド板のガイド用突起が深溝内を下降し、スライド板の下端がスキー板等の側面に沿って接地面下側より突出する。この状態で氷雪面を歩行するとスライド板が雪面に食い込みスキー板等は安定する。
【００１５】
（２）スキー板若しくはスノーシューズの長手側面に、ガイドを受けるための深溝及びスライド金具が貫通する間隙を設けた外枠と、更にその外側に設けられた軸支金具と、軸支金具の内側に配された弾性体を有したスライド板固定ピンと、固定解除板と、前記外枠と固定解除板の間に位置し、固定ピンの突起部を受ける凹部及び押し上げるための弾性体を有するスライド板とを備えたスライド金具である。
【００１６】
（３）スキー板若しくはスノーシューズの長手側面に、ガイドを受けるための深溝及びスライド金具が貫通する間隙を設けた外枠と、更にその外側に設けられた板状ばねと、スライド板固定ピンと、前記外枠とスライド板固定ピンとの間に位置しスライド板固定ピンの突起部を受ける凹部及び押し上げるための弾性体を有するスライド板と、を備えたことを特徴とするスライド金具である。
【００１７】
（４）スキー板若しくはスノーシューズの長手側面に、ガイドを受けるための深溝及びスライド金具が貫通する間隙を設けた外枠と、更にその外側に設けられた固定金具と、更にその外側に設けられた固定ピン軸支金具と、固定ピン軸支金具と固定金具を介して、弾性体によってスライド金具を固定するスライド板固定ピンと、外枠と固定金具の間に位置しスライド板固定ピンの突起部を受ける凹部及び押し上げるための弾性体を有するスライド板と、を備えたことを特徴とするスライド金具である。
【００１８】
（５）スキー板の如き雪上歩行具に一又は複数の貫通孔を有し、該貫通孔の歩行具前方側若しくは後方側の縁にガイドを受けるための深溝及びスライド金具が貫通する間隙を設けた外枠と、当該外枠に外枠のガイドを受けるための深溝に嵌合するガイド用突起と当該ガイド用突起の周面に巻き付けたばねと下降時に固定手段を有し進行方向に直交する面を有するスライド板と、を備えたことを特徴とするスライド金具である。スライド金具を押し下げることによって、弾性体の反撥力に抗してスライド板のガイド用突起が深溝内を下降し、スライド板の下端がスキー板等の接地面下側より突出する。
【００１９】
（６）スライド板に設けられた弾性体としてばねを用い、当該ばねをガイド用突起の周面に巻き付けたことを特徴とする上記（１）乃至（５）のいずれかに記載のスライド金具である。
（７）氷雪面に接するスライド板の先端形状を鋸歯状若しくは鋭角状としたことを特徴とする上記（１）乃至（６）のいずれかに記載のスライド金具である。
（８）スライド板の中心軸線上にスライド板に直交する板を設けたことを特徴とする上記（５）記載のスライド金具である。
（９）雪上歩行具の接地面に設けられた一又は複数の貫通孔を補強金具で覆ったことを特徴とする上記（５）記載のスライド金具である。
【００２０】
【発明の実施の形態】
以下、図面に基づいて本発明の実施例を説明する。
【００２１】
実施の形態１
図１に示すように、本実施の形態に係るスライド金具は、スキー板５の長側面にガイドを受けるための深溝４を有した外枠２と、上部折り返し部下側から突出するガイド用突起７とガイド用突起に沿ってコイル状に巻かれたばね３を有するスライド板１とからなっている。スライド金具を構成する材料としては、アルミ合金、チタン、ＳＵＳ材、合成樹脂若しくはジュラルミン等が好ましい。より安価な材料として、錆止めを防止するために亜鉛めっき等によってクロメート処理された鉄であっても良い。スライド板の厚さは薄いほど好ましいが、略１ｍｍ〜３０ｍｍが好ましく、軽量化と耐久性との関係から特に好ましくは２ｍｍ〜６ｍｍである。
【００２２】
またスライド板が下降した状態では、スキー板の底面から、スライド板が１０ｍｍ〜２００ｍｍほど突出していることが好ましい。軽量化と横滑り防止効果の観点から、特に６０ｍｍ〜１００ｍｍが好ましい。
【００２３】
外枠２はスライド金具の内部の状態を示す便宜上、コの字型となっているが、正面を完全に覆ったロの字型や囲いを設けずに板と深溝４からなる枠でも良い。
外枠の背面はスキー５の長手側面に接している。スキー板５と外枠２の接合は、適宜ボルト又は溶接等による結合によって行われる。外枠２はスキーに直接固定することもできるが、図２のようにスキー板への固定板８や補強板６を介してスライド金具を取り付けても良い。
【００２４】
図３は本実施の形態に係る発明を構成するスライド板１と外枠２を個別に示したものである。図３に示すスライド板１の下部は鋸歯状となっている。また先端を鋭利なものとすることにより、氷面での横滑りを防止することもできる。
【００２５】
図１に示すようにスライド板１を外枠２の上部から深溝４と外枠背面の間の隙間に差込む。この時ガイド用突起７を深溝４の上部から挿入する。この時、ばね３の下端は深溝４の上端若しくは深溝内に設けられたストッパ上で係止される状態にある。ばねの張力によってスライド板１は上方に固定される。この時にスライド板の下端がスキー板５の底面より上方にくるように、ばね３、ガイド用突起７及び深溝４の長さを調節する。
【００２６】
図１に示すようにスライド板１の上方部分を、ばね圧以上の力を加えて押すことによって、ばねは収縮し、ガイド用突起７が深溝４の溝内に挿入する。それに伴ってスライド板の下端がスキー板底面より下側に突出した状態になるまでスライド板１が下降する。スライド板の上部の形状はストック等で押せるように工夫を凝らすこともでき、必ずしも図１及び図３の形状には限らない。
【００２７】
図４（ａ）はスライド板の斜視図及び断面図である。スライド板の上部にある折り返し部の下面には２つのガイド用突起がある。ガイド用突起にはコイルばねが巻かれている。このガイド用突起は図５（ａ）に示す外枠の内側にある深溝に嵌合する。
次に下降したスライド板１を固定する手段について説明する。
【００２８】
スライド板１を固定する手段としては、様々な方法が考えられるが、以下に例示を記載する。以下の固定方法はあくまでも例示であって以下の方法に限定されるものではない。
【００２９】
図６は、ハートカム形固定機構を流用したものである。本固定機構はスライド板１０及び筐体１１及びスキー板等から構成されている。図７は、ハートカム形ロック機構を用いた作動状態を示した図である。
スライド板１０をストック１３等で押圧することにより、スライド板１０を筐体１１内に押し込むとハートカムから構成される固定装置によってスライド板の下端がスキー板１２から突出した状態で固定される。
更にスライド板１０の上部をストック１３等で押圧すると、固定機構が解除され筐体１１からスライド板１０が跳ね上げられ初期の状態に戻る。
【００３０】
図８は別の固定方法の内部構造を示した図である。スライド金具２１、外枠２２及び固定解除バー２３からなる。固定解除バー２３の略中間部分には支点軸２６が設けられ、更にばね２４が設けられている。ばね２４は外枠２２の裏側に接し、常に固定解除バーの支点軸内側をスライド板２１へ押し付けている。スライド板２１が押し下げられた状態で固定溝２５に固定解除バーの一端が嵌合する。固定解除バー２３とスライド板２１が嵌合した状態でスライド板は固定される。
【００３１】
次にスライド板２１の固定を解除する方法を説明する。固定解除バー２３の外端を外側から内側に動かすことにより、支点軸２６を介して固定解除バー２３の内端が固定溝２５から外れることになる。図示しないばねによってスライド板２１は上昇し固定が解除される。
【００３２】
更に別の固定機構を図９に示す。
本固定機構は、スライド板３０、固定板３２、レバー３３、ばね３４，３５、軸支部３６及び筐体３１等から構成されている。
【００３３】
スライド板３０をストック等で押圧することにより、固定板３２の先端の一部がスライド板の穿孔に嵌入する。固定板は筐体３１裏側と固定板３２上部との間にあるばね３４によって、スライド板側に常に押し付けられている状態にある。次にレバー３３を押圧することにより、レバー３３は下降し、レバー３３の外側面にある傾斜が固定板の端を押すことにより、軸支部に軸支された固定板３２の上側がスライド板から離れる。スライド板３０に嵌入していた固定板の端部はスライド板の穿孔から外れ、スライド板３０の固定機構は解除されスライド板は上へ跳ね上げられる。
【００３４】
実施の形態２
図１０に示すように、スキー板４０の長側面に、ガイドを受けるための深溝を有した外枠４４と、更にその外側に設けられた軸支金具５６と、固定解除板５４と、安定板５２と、前記外枠４４と安定板５２の間に位置し、後述する固定金具の先端を受ける部分及びばね４９を有するスライド板５０とからなっている。
【００３５】
外枠４４はコの字型となっており背面がスキー４０の長手側面に接している。外枠４４はスキー４０に直接固定することもできるが、耐久性に鑑みれば、図１１に示すように基板４３をスキー板４０の上面に固定し、更に補強板４７を介して外枠４４を固定することが好ましい。
【００３６】
外枠４４の外側面には更に軸支金具５６が設けられており、図１１から明らかなように、軸支金具の内側にあるコイル状ばねが巻かれた突起５５が軸支金具５６の中央の穿孔からその先端が外へ突出している状態となっている。そして固定金具５４の他端にある突起４１は安定板５２の２つの穿孔を通じてスライド板４８の凹部４２に嵌合することになる。
【００３７】
スライド板４８は外枠４４に嵌め込まれ、通常はスライド板の上端下側に設けられたガイド用突起に沿ってコイル状にまかれたばね４９によって、図１２の状態にある。この状態ではスライド板４８の下端はスキー板の底面より上で係止している。
【００３８】
図１１におけるスライド板４８を上方から押すことにより、スライド板４８は外枠４４の深溝５８に導かれ下降し、やがてスライド板４８に設けられた凹部４２に固定金具５４の突起４１がばね５５に押されて嵌合する。この状態では図１３に示すようにスライド板４８はスキー板の底面より下側へ突出する。即ち、この状態では、スライド板が新雪に食い込みスキー板の横方向への動きを制御することとなる。
【００３９】
次に本実施形態におけるスライド板４８の固定を解除し、スライド板４８を押し上げる動作を図１４に基づいて説明する。
固定解除板５４に設けられた突起４１は、スライド板４８の凹部に嵌合しているため、スライド板４８は押し下げられた状態で固定されている。
【００４０】
固定解除板５４の上端中央部にある折り返し部６１と安定板５２の上端中央部にある折り返し部６０との中央には空隙６２が存在する。この空隙６２にストック等の細い棒を差し込み外側へ押すことにより、ばね５５は軸支金具５６の内側に押し付けられ収縮する。この時、固定解除板の突起４１はスライド板４８の凹部から外れる。そして、スライド板４８の上端下側に設けられたガイド用突起に巻かれたばねによって、スライド板４８は上方へ跳ね上げられる。スライド板４８は図１２の状態に戻り固定される。
【００４１】
図１５はスライド板６８を固定する他の機構を示したものである。この機構は、外枠６４と、スライド板６８と、安定板７２と、固定解除板７０，７０’と、板ばね７６等からなっている。
【００４２】
板ばね７６がスライド板の凹部に固定解除板７０’の突起を嵌合し、上記の機構と同じようにストック等によって固定解除板７０を外側へ押しやることにより板ばねが外側に撓み、スライド板の凹部より固定解除板７０の突起が外れることから、スライド板は上方へ跳ね上がり、図１２の状態に戻ることになる。
【００４３】
図１６は本実施の形態において部品点数を減らしたものである。即ち、図１６におけるスライド金具は、外枠７７と、スライド板７８と、安定板８２と、固定解除板８４と、突起部品８５と、軸支金具８６等よりなる。
動作は上記したスライド金具と略同じである。このスライド金具はスキー板に直接係合してもよいし、補強板や基板等を介して係合することもできる。
【００４４】
実施例１
図１７に示すように本実施例に係るスライド金具は、スキー板８５の長側面に、ガイドを受けるための深溝８２を有した本体８１と、更にその外側に密着する中板８６と、外板８７と、前記本体８１に設けられた溝内に嵌合するスライド板８０と、図示しない固定解除金具と、固定解除金具の外側に突出している部分に係合したレバー８９とからなっている。スライド板８０には、らせん状に巻かれたばね１０５を有するガイド用突起１０６が設けられている。このガイド用突起１０６は本体８１の深溝８２に嵌合している。
【００４５】
スライド金具はスキー板に固定された板９０にボルト等によって密着され、スキー板とスライド金具の幅を調節するための板９１を介してスキー板８５の長手側面に固定されている。板９１はスキーの横幅を上回るスキー靴に配慮してスライド金具をスキー板の幅より広げるための補強板としての役割も担っている。
【００４６】
図１８に示すように、外板８７と、中板８６は外側からボルト９２によって本体８１に固着されている。本体８１はスキー板に直接固定することもできるが、耐久性に鑑みれば、図１８のように基板９０をスキー板８５の上面に固定し、更に本体をそれに固定することが好ましい。より好ましくは図示しない補強板を介して本体８１を固定することが好ましい。
【００４７】
中板８６には２つの穿孔が設けられており、この穿孔を結ぶ溝がある。この溝は固定解除金具８８が動く空間として設けられている。固定解除金具８８の外側の突起９６にはコイル状のばね９５が巻かれている。突起９６は外板８７の略中央部分の穿孔に内側から嵌合しており、外板８７から突出した先端には小さな軸孔が設けられている。この軸孔を使用してレバー８９が係合されている。
固定解除金具８８の内側の２つの突起は、ばね９５によって中板８６の２つの穿孔を介して本体の２つの凹部９８に押し付けられている。
【００４８】
この状態で上からスライド板８０を押圧すると、スライド板８０の先端が固定解除金具８８を内側へ押し戻す。押し戻された固定解除金具８８は、スライド板８０が最下降した時に丁度スライド板８０の２つの穿孔９９に嵌合することとなる。ばね９５によって固定解除金具８８はスライド板８０の穿孔８９に嵌合し、スライド板８０は下降した状態で固定される。
【００４９】
次に本実施形態におけるスライド板８０の固定を解除し、スライド板８０を押し上げる動作を図１９に基づいて説明する。
スライド板８０が一番下に下降した状態においては、固定解除金具８８の内側の突起は、スライド板８０の凹部に嵌合している。
【００５０】
固定解除金具８８の外側の突起の先端は外板８７の穿孔を通じて突出している。その突出した先端にはレバー８９が係合されている。レバー８９はくの字型に折れ曲がっており、先端に軸支されている部分とレバーの上面中央との間には距離αのズレがある。この状態でレバーの上面を垂直方向へ押圧すると、レバー８９の背面と外板８７の接点を軸としてレバーの下端が外側へ動き、最終的にレバーはレバー８９’の位置で止まる。従って、レバー８９’に係合された固定解除金具の突起９６は外側へ水平に移動する。固定解除金具の内側の突起８８も外側８８’の位置に移動する。この状態でスライド板８０の穿孔から固定解除金具の突起８８が外れるので、スライド板８０は図示しないばねによって上方向へ押し上げられることになる。
【００５１】
図２０はスライド板８０の斜視図である。スライド板８０の正面中央には溝１０１がある。溝１０１の下端には穿孔１００が設けられている。
【００５２】
図２１はスライド金具と本体の断面図である。スライド板８０が上方にある場合は本体内部に設けられた溝中のばね１０７に押圧された突起１０２がスライド板８０の溝１０１に押し付けられている。これによって解除されたスライド板８０は、深溝から外れることはない。
このような突起１０２をばね１０７を用いることなく、より簡易に本体に固定した突起状のものとすることもできる。
【００５３】
図２２はスライド金具を取り付ける位置を示すものである。スライド金具の取り付け場所には様々な態様がある。図２２に示された取り付け位置は、一つの例示である。このようにスキー靴の前後に合計４つのスライド金具を取り付けることができる。４つ以上のスライド金具とすることもできる。図示しないがスキー靴の中央部に２つのスライド金具を取り付けてもよいし、スキーの片側に１つ若しくはスキー板の外側に沿って２つのスライド金具を並べて取り付けても良い。
【００５４】
実施例２
図２３に示すように本実施例に係るスライド金具は、貫通孔１３０を有するスライド金具の支持台１２９と、ガイドを受けるための深溝及び穿孔１２４を有した外枠１２３と、外枠１２３に嵌合するスライド板１２０と、スライド板１２０と平面視Ｔ字状となる横滑り防止用スライド板１２１と、突起１２５及びスプリング１２６と、レバー１２８と、スプリング受１２７とからなる。
【００５５】
スライド金具は図２４に示すように貫通孔を設けたスキー板等１３２にボルト等によって密着される。この時スライド板１２０は進行方向に直交する。スキー板等１３２に支持台１２９を固定し、外枠１２３の下端がスキー板等１３２の接地面と略面一になるように貫通孔１３０に挿入し、貫通孔１３０の進行方向側あるいは後方側の側面に密着するように固定する。この時、ガイド用突起１３３及びばね１３４は深溝１３１に挿入されている。レバー１２８は突起１２５の先端に設けられた穿孔にピン軸１３８を介して軸支されている。
スライド板１２０、突起１２５及びスプリング１２６等を含むスライド金具を構成する部品の材料としては、ＳＵＳ材、合成樹脂、アルミ、ジェラルミン若しくは耐食性の塗料又はめっきを施した鉄が用いられが、これらに限定されるものではない。
【００５６】
図２５は、スライド金具がスキー板に固定された状態を示す平面図である。貫通孔１３０を設けることによって、歩行時に貫通孔１３０が雪に食い込むことによって滑り止めの作用が更に増す。またこのような貫通孔１３０には、スライド金具の凍結を防止する作用もある。
図２６は、スライド板１２０等の主要部品の斜視図である。この部品は、深溝に嵌合するためのガイド用突起１３３、スライド板を押し上げる力を保持するためのばね１３４、ガイド用突起受１２２、スライド板を押し下げる際にストック等を押し付ける溝１３５、スライド板１２０及び横滑り防止スライド板１２１から構成される。またスライド板１２０には、スライド板１２０の抜けを防止するための縦溝１３７及びスライド板が最下降した際にスライド板を固定するための穿孔１３６が設けられている。
【００５７】
スライド板１２０は、下降することによりスキー等の特に縦方向の滑りを防止する。更に横滑り防止用スライド板１２１をスライド板１２０等とＴ字状になるように付加することによってスキー等の特に横方向の滑りを防止することができる。スライド板及び横滑り防止スライド板の加工は、プレス機でＴ字がたを作成するか、滑り止め板に垂直に板を溶接してその垂直板を上下にＬ字型金具等にて左右上下をボルト、ビス又は溶接によって結着する方法等がある。
図２７は、スライド金具の作動前の状態を示すための断面図である。スライド板１２０の下部はスキー板１３２の滑走面と略面一となるような位置にある。スライド板１２０を固定するための主要な機構は、突起１２５、スプリング１２６、スプリング受１２７及びレバー１２８からなる。スプリング１２６の一端はスプリング受１２７の凹部に接し、他端は突起１２５の顎状にくびれた部分に接している。そのため突起１２５はスライド板１２０の面にスプリング１２６の付勢力によって押し付けられている。
【００５８】
図２８は、図２７の状態からスライド板１２０の上部を押し下げることによって、スライド板１２０がスキー板より突出し、滑り防止効果が最大限に発揮される状態を示している。この時突起１２５の先端は、スライド板１２０の穿孔１３６に嵌合している。これによってスライド板はスキー板より突出した状態に保持される。スライド板１２０を図２７の作動前の状態に戻すためには、レバー１２８の上端１４０を押圧することが必要である。押圧されたレバー１２８は、ピン軸を中心に回転し、それに伴ってレバー１２８の背面とスプリング受１２７の接面を起点となって、突起１２５を外側へ押出す。そして、突起１２５の先端がスライド板１２０の穿孔１３６より引き抜かれる。スライド板１２０はばね１３４の付勢力によって上方へ跳ね上げられる。これによって、スライド板は図２８の作動状態から図２７の初期状態へ移動する。
【００５９】
図２９は、スキー板等補強用金具の展開図であり、図３０は取り付け時の斜視図である。本発明の構造上スキー板等に貫通孔を設ける必要があるが、スキー板等上の貫通孔箇所は他の部分に比べて耐折性が弱く、スキー板が破損し易い部位となっている。
【００６０】
図２９に示すように本金具は、外側の折り返し部１４２，１４２’と内側の折り返し部１４１，１４３，１４４よりなっている。これらの折り返し部を図３０に示すようにスキー板１４０に設けられた貫通孔を覆うように嵌め合わせる。折返し部１４２，１４２’は直角に折り曲げられことによりスキー板１４０の側面を外側から覆うように密着し、ボルト等によってスキー板１４０に固定される。金具の内側の折返し部１４１，１４３，１４４は直角に折り曲げられることによって貫通孔の内側側面に密着し、ボルト等によってスキー板１４０の貫通孔に固定される。この金具を取り付けることによりスキー板の貫通孔部分におけるスキー板の破損を防止し、貫通孔を設けることによる強度不足を補うことができる。
【００６１】
図３１は、スキー板等の貫通孔部分におけるスキー板等の破損を防止するための補強金具の別の態様を示す平面展開図である。本補強金具をスキー板等の貫通孔の周面を覆うように定置し、折返し部１４５，１４７，１４８を貫通孔の内側面に折り返した後、ボルト等によって固定する。固定部１４６，１４６’はスキー板等の面上に固定される。
【００６２】
図３２は実施例２におけるスライド金具を取り付ける位置を示すものである。スライド金具の取り付け場所には様々な態様がある。図３２に示された取り付け位置は、一つの例示である。このようにスキー靴の前後に合計４つのスライド金具を取り付けることができる。また４つ以上のスライド金具とすることもできる。図示しないがスキー靴の前側若しくは後側に２つのスライド金具を取り付けてもよいし、スキーの片側に１つ若しくはスキー板の外側に沿って２つのスライド金具を並べて取り付けても良い。
更にスライド金具は、前後を逆に取り付けても良い。即ち、図３２における靴の方向は逆向きであっても良い。
【００６３】
【発明の効果】
この装置をスキー等に取り付けることで深雪時でも深く潜らず、スライド板を上昇させることによりスキーと同様の滑降ができるという効果がある。
【００６４】
スライド板とスライド押え金具等を設けることによって、氷雪面を歩行する際に下降固定していたスライド板をストック等で簡単に上昇させることができるという効果がある。
【００６５】
請求項１に係る発明は、板ばねを用いることにより、より簡易な装置を安価に提供するという効果がある。
【００６６】
請求項２に係る発明は、主にプレス加工によって製造される金具を組合せることによって、スライド金具の昇降及び固定が可能になるという効果がある。
【００６７】
請求項３に係る発明は、この装置をスキー等に取り付けることで、急な登り坂でも横方向へ滑ることなく、進行方向に正対したまま直進でき、登行姿勢に無理がないので疲れが少なく快適な上に、今までよりも安定して早く登り降りができるので、より楽しくかつ安全に氷雪面を歩行できるという効果がある。
【００６８】
また、ばねを用いることにより安定したスライド板の固定及び固定の解除を行うことができるという効果がある。
【００６９】
請求項６に係る発明は、スライド板の先端形状を鋸歯状若しくは鋭角状とすることにより、氷面でも横滑りを強力に防止することができるという効果がある。
【００７０】
請求項４に係る発明は、この装置をスキー等に取り付けることで、氷雪面での横方向及び縦方向への滑りを防止することができるという効果がある。請求項５に係る発明は、スキー板の貫通孔部分の強度を補強することができるという効果がある。
【図面の簡単な説明】
【図１】実施の形態１に係るスライド金具の斜視図である。
【図２】実施の形態１に係るスライド金具の取り付け方法に関する例示の一つを示す分解斜視図である。
【図３】実施の形態１に係るスライド金具の別の態様を示す分解斜視図である。
【図４】（ａ）はスライド板の一例を示す斜視図である。（ｂ）はその断面図である。
【図５】（ａ）は外枠の一例を示す斜視図である。（ｂ）はその断面図である。
【図６】ハートカム形固定機構による固定方法を示す図である。
【図７】ハートカム形固定機構による固定方法の動作を示す図である。
【図８】スライド板の別の固定方法の内部構造を示した図である。
【図９】スライド板の更に別の固定方法の内部構造を示した図である。
【図１０】本発明に係る実施の形態２を示す斜視図である。
【図１１】実施の形態２の分解斜視図である。
【図１２】本スライド金具の初期状態を示す斜視図である。
【図１３】スライド板が押し下げられ横滑りの防止効果を発揮する状態を示す斜視図である。
【図１４】スライド板の固定を解除し、スライド板を押し上げる機構を示す平面図である。
【図１５】板ばねを用いてスライド板の固定を解除する機構を示す平面図である。
【図１６】実施の形態２において部品点数を減らしたスライド金具を示す分解図である。
【図１７】本発明に係る実施例１を示す斜視図である。
【図１８】実施例１の分解斜視図である。
【図１９】実施例１の動作状態を示す図である。
【図２０】スライド板の斜視図である。
【図２１】スライド金具と本体の断面図である。
【図２２】スライド金具を取り付ける位置を示す平面図である。
【図２３】実施例２の分解斜視図である。
【図２４】実施例２の組立時の状態を示す斜視図である。
【図２５】実施例２の平面図である。
【図２６】実施例２のスライド板等を示す斜視図である。
【図２７】実施例２の断面図である。
【図２８】実施例２の使用状態を示す断面図である。
【図２９】スキー板等補強用金具の平面展開図である。
【図３０】図２９のスキー板等補強用金具の使用状態を示す斜視図である。
【図３１】スキー板等補強用金具の別の例を示す平面展開図である。
【図３２】実施例２のスライド金具を取り付ける位置を示す平面図及び正面図である。
【符号の説明】
１，１０，２１，３０，４８，８０  スライド板
２，２２，４４  外枠
４  深溝
６  補強板
８  固定板
２３  固定解除バー
２４，４９  ばね
２６  支点軸
３３  レバー
５０  安定板
５６  軸支金具
【図１】
0003751004.tif 000002
【図２】
0003751004.tif 000003
【図３】
0003751004.tif 000004
【図４】
0003751004.tif 000005
【図５】
0003751004.tif 000006
【図６】
0003751004.tif 000007
【図７】
0003751004.tif 000008
【図８】
0003751004.tif 000009
【図９】
0003751004.tif 000010
【図１０】
0003751004.tif 000011
【図１１】
0003751004.tif 000012
【図１２】
0003751004.tif 000013
【図１３】
0003751004.tif 000014
【図１４】
0003751004.tif 000015
【図１５】
0003751004.tif 000016
【図１６】
0003751004.tif 000017
【図１７】
0003751004.tif 000018
【図１８】
0003751004.tif 000019
【図１９】
0003751004.tif 000020
【図２０】
0003751004.tif 000021
【図２１】
0003751004.tif 000022
【図２２】
0003751004.tif 000023
【図２３】
0003751004.tif 000024
【図２４】
0003751004.tif 000025
【図２５】
0003751004.tif 000026
【図２６】
0003751004.tif 000027
【図２７】
0003751004.tif 000028
【図２８】
0003751004.tif 000029
【図２９】
0003751004.tif 000030
【図３０】
0003751004.tif 000031
【図３１】
0003751004.tif 000032
【図３２】
0003751004.tif 000033